(57)【要約】【課題】ヘルメットや帽子の内側に入れて頭部を冷やす頭部冷却用の冷却材と、この冷却材の収容部を有するヘルメットと防止を提供することを課題とする。【解決手段】炭素数が１４，１５，１６（Ｃ１４〜１６）のいずれかよりなる濃度５０％±２のゲル状のノルマルパラフィン水溶液２を、防水性を有する比較的平坦な袋内３に封入した、頭部冷却用の冷却材１にする。  そして、ヘルメット４と帽子の内側に、この頭部冷却用の冷却材１を入れる袋状の収容部６を形成した。【選択図】図２
2005273119.tif 000002
【特許請求の範囲】
【請求項１】
ヘルメット又は帽子の内側に入れて使用する頭部冷却用の冷却材であり、当該冷却材は、ノルマルパラフィンを高濃度且つ低粘度に水分散したゲル状のノルマルパラフィン水溶液が、防水性を有する袋内に封入され、或いは、容器内に充填されていることを特徴とする頭部冷却用の冷却材。
【請求項２】
袋又は容器の片面に、ヘルメット又は帽子の内側面に固定するための係止材が設けられていることを特徴とする請求項１に記載の頭部冷却用の冷却材。
【請求項３】
請求項１又は２に記載の頭部冷却用の冷却材を収容する収容部がヘルメット本体の内側面の適所に設けられていることを特徴とするヘルメット。
【請求項４】
請求項１又は２に記載の頭部冷却用の冷却材を収容する収容部がヘルメット本体の内側面の適所に設けられていることを特徴とする帽子。
【発明の詳細な説明】
【技術分野】
【０００１】  本発明は、ヘルメットや帽子の内側に入れて頭部を冷やす頭部冷却用の冷却材等に関し、詳細には、ノルマルパラフィンを冷媒として利用した頭部冷却用の冷却材と、冷却材付きヘルメット及び帽子に関する。
【背景技術】
【０００２】  夏場の炎天下において、ヘルメットを着用して長時間の建設作業を続けると、ヘルメットの内側の温度が上昇し、更には、ヘルメットの内側の通気性が良好でないために頭部の体温を逃がすことができないことも相俟って、頭部の体温が上昇したり蒸れたりする結果、作業の能率や思考及び判断能力などの低下を招くことがあり、更には、熱射病、熱中症、脱水症、めまいなどの危険な症状に至ることもある。とくに、成人病やその予備軍の中高年の人々にとっては、症状が更に悪化して健康に深刻な影響を及ぼすこともある。
このような劣悪な環境は、建設作業だけに限らず、例えば、工場内の溶鉱炉近くで作業するとき、炎天下で単車や自転車に乗っているときなど、炎天下で帽子やヘルメットを被ってスポーツをしているときなどにおいても生じる。このため、ヘルメットや帽子の内側の温度を下げて、頭部を快適にする必要がある。【０００３】  このための方法としては、従来、ヘルメットや帽子の内側に、冷却剤を入れるという考えがある。例えば、特開２００４−７６２２３号公報に記載のヘルメット用冷却体、特開２００１−２５８９２３号公報に記載の冷却用ヘルメット、特開２００３−８８５４３号公報に記載の帽子用冷却補助部材及びその製造方法などが公知である。【０００４】  上記の各従来技術のうち、特開２００４−７６２２３号公報に記載のヘルメット用冷却体は、ヘルメットの内側に装着して頭部を覆う帽体に冷却材を着脱自在に取り付けて、頭部を冷却する技術であり、冷却材には、同公報の明細書の段落番号「０００８」には、水を含ませた高吸収性樹脂（例えば、マンナン、ガラクタン、ゼラチン、カゼイン等の天然高分子、デンプン、セルロース等の加工した半合成品、ポリビニルアルコール、ポリアクリル酸、マレイン酸共重合物等の合成品）を袋に封入し、これを予め凍らせておいて用いるもの、或いは、水を封入した易破裂性の内袋と、水と接触すると吸熱反応を開始する硝酸アンモニウム等の薬剤とを外袋に封入し、使用時に押圧力を加えて内袋を破裂させ、水と薬剤とを混合させて急速冷却させるもの等が記載されている。【０００５】  特開２００１−２５８９２３号公報に記載の冷却用ヘルメットに用いられている冷却嚢をシリコーンポリマー層で形成し、この冷却嚢内に冷却水を通過させて、冷却嚢に接触する頭部を冷却させるようにしている。【０００６】  特開２００３−８８５４３号公報に記載の帽子用冷却補助部材は、２枚のシート材を熱シールして袋状とし、内部に所要量の高吸収性ポリマーを収納し、２枚のシート材の内、少なくとも一方に通水性を有するシート材を使用し、全体形状を円形または多角形に形成し、中心部から放射状に複数条のシール部を形成したもので構成されている。
【発明が解決しようとする課題】
【０００７】  しかしながら、特開２００４−７６２２３号公報に記載のヘルメット用冷却体に用いられている冷却材のうち、水分を包有する高吸収性樹脂を予め凍らせて使用すると、頭部の冷却作用は得られるが、水分の蒸発が進行するに従って冷却能力が急速に低下するという課題がある。また、水と接触すると吸熱反応を開始する冷却材は、使い捨てのものであるために、不経済である。
【０００８】  これに対し、特開２００１−２５８９２３号公報に記載の冷却用ヘルメットに用いられている冷却嚢、及び、特開２００４−７６２２３号公報に記載のヘルメット用冷却体に用いられている冷却材は、いずれも水冷のものであるが、真夏の炎天下によるヘルメットや帽子の内側に加わる温度によって、水温が上昇するため、長時間にわたって高い冷却効果を維持させることができないという課題があった。
【０００９】  本発明者は、上記各従来技術による冷却では、ヘルメットや帽子を被った頭部を、長時間にわたって効果的に冷却することが十分にできないことから、今回、高い冷却効果を長時間維持できる、ヘルメット用及び帽子用の冷却材の開発に着手した。そして、鋭意検討の結果、ノルマルパラフィン水溶液と、ノルマルパラフィンと水とを混合させたゲルが、高い冷却効果を長時間維持させることが判った。
【課題を解決するための手段】
【００１０】  以上の課題を解決するために提案される本発明の請求項１に記載の頭部冷却用の冷却材は、ヘルメット又は帽子の内側に入れて使用する頭部冷却用の冷却材であり、当該冷却材は、ノルマルパラフィンを高濃度且つ低粘度に水分散したゲル状のノルマルパラフィン水溶液が、防水性を有する袋内に封入され、或いは、容器内に充填されていることを特徴とする。
【００１１】  本発明の頭部冷却用の冷却材（以下、本発明の冷却材と略称する）に用いられる冷媒は、ゲル状のノルマルパラフィン水溶液である。
ノスマルパラフィンは、ＣｎＨ２ｎ＋２であらわされるパラフィン系炭化水素であり、炭素数が１〜４（Ｃ１〜４）のものは、常温では気体として存在し、炭素数が５〜１５（Ｃ５〜１５）のものは、常温で液体として存在し、炭素数が１６（Ｃ１６）以上のものは、一般に、常温では固体として存在する。
【００１２】  本発明の冷却材に用いられるノルマルパラフィンは、これら炭素数の違いによるノルマルパラフィンのうち、必ずしも限定されるものではないが、炭素数が１４，１５，１６（Ｃ１４〜１６）のものを用いることが好ましい。そして、これらいずれかのノルマルパラフィンと水とを混合させて、濃度５０％±２のノルマルパラフィン水溶液を製造した。
濃度５０％±２のノルマルパラフィン水溶液は、炭素数の違いにより、ソフトゲル又はハードゲル状であることが確認され、融点は、炭素数の違いにより、１０〜５５℃であり、粘度は２００ｃｐを超えない範囲であり、ｐＨは、８±１であることが確認された。
【００１３】  そして、濃度５０％±２のゲル状のノルマルパラフィン水溶液は、炭素数が１４のものでは、融点５．９℃、融解潜熱が２２９．８ｋｊ／ｋｇ、引火点が９９℃であることが確認され、
炭素数が１５のものでは、融点９．９℃、融解潜熱が１６３．８ｋｊ／ｋｇ、引火点が１３２℃であることが確認され、
炭素数が１６のものでは、融点１８．２℃、融解潜熱が２２８．８ｋｊ／ｋｇ、引火点が１３５℃であることが確認された。
いずれも、冷却用途に好適な温度領域（５〜１５℃）が確保でき、過冷却制御にも優れ、寿命も高いことが確認され、価格も比較的安価である。
【００１４】  そして、これらいずれかのノルマルパラフィン水溶液を、防水性を有する袋内に封入して、冷却材を製造した。
【００１５】  そして、この冷却材を冷蔵庫内に入れて冷却した後、常温環境下に放置すると、２００分経過するまで、大きな温度低下は見られず、２００分経過後に、ゆっくりと温度低下することが確認された。
【００１６】  この冷却材は、比較的平坦な形状のものであり、ヘルメットや帽子の内側に沿わせて固定させることができるように、袋は柔軟性の高い丈夫なものが用いられている。
【００１７】  この冷却材は、冷蔵庫の中に入れて冷却した後、ヘルメットや帽子の内側に固定して使用し、冷却作用が失われると、ヘルメットや帽子から取り外して、再度冷却する。つまり、連続して何度でも使用できるものである。
【００１８】  本発明の請求項２では、この冷却材に用いられている袋又は容器の片面に、ヘルメット又は帽子の内側面に固定するための係止材が設けられているものを提案する。
【００１９】  このように、係止材を用いて、この冷却材をヘルメット又は防止の内側面に固定できるようにすると、ヘルメットや帽子の内側に入れた冷却材の位置を安定させることができ、不用意に脱落しない。冷却材をヘルメットや帽子のどの位置に固定させるのかについては、これらの内側面の頭頂部が最適である。係止材としては、両面粘着テープ、ホック、紐、面ファスナーなどが挙げられる。
【００２０】  そして、本発明の請求項３では、この冷却材を装備した冷却材付きヘルメットを提案し、請求項４では、この冷却材を装備した冷却材付き防止を提案する。
【００２１】  これらヘルメットや帽子に冷却材を装備するために、これらの内側面の適所、更に好ましくは、頭頂部辺りに、冷却材を収容する収容部を設け、この収容部の中に冷却材を入れるようにした。この収容部は、布又は網或いは合成樹脂製シートで形成され、ヘルメットや帽子の内側面に固定、或いは、取り外し可能に取り付けられたものである。
【発明の効果】
【００２２】  以上、説明した本発明の頭部冷却用の冷却材は、炭素数が１４，１５，１６（Ｃ１４〜１６）のいずれかのノルマルパラフィンと水とを混合したノルマルパラフィン水溶液を冷媒として用い、更に好ましくは、濃度５０％±２のゲル状のノルマルパラフィン水溶液を冷媒として用いたことによって、冷却用途に好適な温度領域（５〜１５℃）が確保できるようになった。しかも、過冷却制御にも優れ、寿命が長く、繰り返して使用できる頭部冷却用の冷却材にすることができるようになった。
【００２３】  また、この冷却材を装備した冷却材付きヘルメットと、この冷却材を装備した冷却材付き帽子を提案したことによって、ヘルメットや帽子を着用したときに、頭部を暑さや蒸れから防ぎ、頭部を快適にすることができるようになったのである。
【発明を実施するための最良の形態】
【００２４】  本発明を実施するための最良の形態は、炭素数が１４，１５，１６（Ｃ１４〜１６）のいずれかのノルマルパラフィンと水とを混合させて、濃度５０％±２のゲル状のノルマルパラフィン水溶液を、防水性を有する比較的平坦な袋内に封入した、ヘルメットや帽子の内側面の頭頂部辺りに、着脱可能に固定させることができ、或いは、保持させることができる頭部冷却用の冷却材である。
【実施例１】
【００２５】  図１は本発明の実施例１による頭部冷却用の冷却材を断面図で示し、図２はヘルメットの内側面に沿った箇所に頭部冷却用の冷却材を固定して示した側面断面図であり、図３は同じく底面図である。【００２６】  図１に示すように、本発明の実施例１による頭部冷却用の冷却材（以下、実施例１の冷却材と略称する）１は、炭素数が１４，１５，１６（Ｃ１４〜１６）のいずれかよりなる濃度５０％±２のゲル状のノルマルパラフィン水溶液２を、防水性を有する比較的平坦な袋内３に封入したもので構成されている。
この実施例１の冷却材１は、冷蔵庫の中に入れて、冷却した後、図２及び図３に示すように、ヘルメット４の内側面と、ヘルメット４の内側に装着されている布製テープ製の帽体５との間に空間内に、ヘルメット４の内側面の頭頂部辺りに沿って固定されている袋状の収容部６内に入れて使用する。このようにすると、帽体５を装着したヘルメット本体４を着用したときに、実施例１の冷却材１による冷気が、ヘルメット４の内側と頭部の間の空間に広がって、この空間の温度を下げ、頭部を冷却させることができる。
【図面の簡単な説明】
【００２６】
【図１】本発明の実施例１による頭部冷却用の冷却材を示した側面断面図である。
【図２】ヘルメットの内側面に沿った箇所に頭部冷却用の冷却材を固定して示した側面断面図である。
【図３】同じく底面図である。
【符号の説明】
【００２７】    １  冷却材
２  ノルマルパラフィン水溶液
３  袋
４  ヘルメット
５  帽体
６  収容部
【図１】
2005273119.tif 000003
【図２】
2005273119.tif 000004
【図３】
2005273119.tif 000005